(57)【要約】【課題】周辺の養生工程等の不要な乾式工法にて、遮音性能が高く、しかも施工性の向上や省コスト化を図れる浮床構造を構築する。【解決手段】まず、緩衝部材３が敷設された躯体床スラブ２上に仮支持脚ユニット６を介して例えば汎用のパネル部材７を配置し、その緩衝部材３とパネル部材７との厚さ方向の間隙Ｋに充填材２１を充填する。充填材２１の硬化後、躯体床スラブ２に一時的に仮支持されていた仮支持脚ユニット６の脚部１９を躯体床スラブ２の上面から浮上させる。これにより、パネル部材７の直接的な積載荷重が、躯体床スラブ２上から緩衝部材３上へ移行することになり、緩衝部材３とその上方のパネル部材７とが充填材２１を介して密着し、積層配置された躯体床スラブ２、緩衝部材３、及びパネル部材７が一体的な構造体として構築される。【選択図】      図１０
2004293068.tif 000002
【特許請求の範囲】
【請求項１】
躯体床上に緩衝部材を敷設する工程と、
脚部と該脚部の上方に設けられたフランジ部と該フランジ部に対し前記脚部を昇降させる昇降機構とを備えた仮支持脚ユニットを用意し、該昇降機構の操作部を露出させるようにして前記フランジ部上にパネル部材を固定する工程と、
前記パネル部材が上部に固定された前記フランジ部が、前記敷設された緩衝部材上に載置されるとともに前記脚部が前記緩衝部材を貫通し前記躯体床上に直接支持されるように前記仮支持脚ユニットを設置する工程と、
前記フランジ部上に固定された前記パネル部材の底面と前記フランジ部を挟んで前記パネル部材に対向する前記緩衝部材の上面との間の間隙に充填材を充填する工程と、
前記間隙に充填された充填材の硬化後に、前記仮支持脚ユニットが備える前記昇降機構の前記操作部を操作し前記仮支持脚ユニットの前記脚部を前記躯体床から浮上させる工程と
を有することを特徴とする浮床構造の構築方法。
【請求項２】
貫通孔が所定の位置に形成された複数の緩衝部材を躯体床上に敷設する工程と、
脚部、該脚部の上方に設けられたフランジ部、及び該フランジ部に対し前記脚部を昇降させる操作部を上端に有する昇降機構を備えた複数の仮支持脚ユニットと、充填材の注入用に貫通して形成された充填材注入孔、及びコーナー部分を貫通して形成された前記仮支持脚ユニットの挿入孔を備える複数の矩形のパネル部材とを用意する工程と、
前記複数の仮支持脚ユニットの各フランジ部より上端側を前記パネル部材の前記挿入孔に各々挿入し該挿入孔の外縁部分を前記フランジ部上にそれぞれ固定する工程と、
前記パネル部材における前記挿入孔の外縁部分がその上部に固定された前記フランジ部が、前記敷設された複数の緩衝部材の前記貫通孔の外縁部分に載置されるとともに、前記脚部が前記貫通孔を挿通して前記躯体床上に直接支持されるように前記複数の仮支持脚ユニットをそれぞれ設置する工程と、
前記複数の仮支持脚ユニットの前記フランジ部上に搭載された前記各パネル部材の底面と前記フランジ部を挟んで前記各パネル部材に対向する前記各緩衝部材の上面との間の間隙に前記各充填材注入孔を通じて充填材を充填する工程と、
前記間隙に充填された充填材の硬化後に、前記パネル部材の前記挿入孔を通じて前記仮支持脚ユニットが備える前記昇降機構の前記操作部を操作し前記各仮支持脚ユニットの前記脚部を前記躯体床から浮上させる工程と
を有することを特徴とする浮床構造の構築方法。
【請求項３】
貫通孔が所定の位置に形成された複数の緩衝部材を躯体床上に敷設する工程と、
脚部と該脚部の上方に設けられたフランジ部と該フランジ部に対し前記脚部を昇降させる操作部を上端に有する昇降機構とを備えた複数の仮支持脚ユニットを用意し、前記敷設された複数の緩衝部材における前記貫通孔の外縁部分に前記フランジ部が載置されるとともに前記脚部が前記貫通孔を挿通して前記躯体床上に直接支持されるように前記複数の仮支持脚ユニットをそれぞれ設置する工程と、
充填材注入孔を貫通させて形成した複数の矩形状のパネル部材を用意して、該複数のパネル部材のコーナー部分を前記仮支持脚ユニットの前記フランジ部上に搭載し該パネル部材を碁盤状に敷設する工程と、
前記複数の仮支持脚ユニットの前記フランジ部上に搭載された前記各パネル部材の底面と前記フランジ部を挟んで前記各パネル部材に対向する前記各緩衝部材の上面との間の間隙に前記各充填材注入孔を通じて充填材を充填する工程と、
前記間隙に充填された充填材の硬化後に、前記仮支持脚ユニットが備える前記昇降機構の前記操作部を操作し前記各仮支持脚ユニットの前記脚部を前記躯体床から浮上させる工程と
を有することを特徴とする浮床構造の構築方法。
【請求項４】
前記仮支持脚ユニットの前記フランジ部上に前記パネル部材を搭載した後で且つ充填材を充填する前に、前記仮支持脚ユニットが備える前記昇降機構の前記操作部を操作し、前記パネル部材上面のレベル調整を行う工程をさらに具備することを特徴する請求項１ないし３いずれか１項に記載の浮床構造の構築方法。
【請求項５】
前記充填材の充填を開始した後、前記間隙に充填材が充たされて該間隙から充填材が押し出されることを検出することにより、充填材の充填の継続又はその停止を判断することを特徴とする請求項１ないし４いずれか１項に記載の浮床構造の構築方法。
【発明の詳細な説明】
【０００１】
【発明の属する技術分野】
本発明は、各種建物の床構造に係り、特に集合住宅等の床構造として好適な浮床構造の構築方法に関する。
【０００２】
【従来の技術】
従来、建築物の床は、長期にわたっての鉛直荷重に耐え、地震の際等の水平荷重により生じる面内のせん断力を伝達することでその構造体としての役割を担うように設計される。集合住宅のように複数の上下の住宅を区画する床には、遮音の観点から平穏な生活を営むことができる一定の遮音性能が要求される。既存の床の多くは、必ずしも十分な遮音性能を保有しているとは言えず、上下階の床遮音に関する問題がマンションの苦情のうちの上位を占めている。
【０００３】
例えば、子供が飛び跳ねる際等に発生する重量衝撃音を遮音するには、床を鉄筋コンクリート造とし、その床自体を厚くして剛性の高い床構造にすることが効果的なことは実験により検証されている。しかしながら、この場合、建物全体の重量が大きくなるので、柱、梁、基礎等の各部材の強度を向上させる必要があり、また、階高も高くなるため、建築物全体のコストの増大を招くことになる。
【０００４】
そこで、遮音性能の改善を図るために、欧州等で慣行されている湿式浮床工法等が採用される場合もある（例えば、特許文献１参照）。
【０００５】
この湿式浮床工法は、コンクリート床スラブを一定の厚さに抑え、その上にグラスウール等の緩衝材を敷設し、さらにその上部にトッピングコンクリートを打設することで、浮床構造を構築するものである。
【０００６】
【特許文献１】
特開２００２−１６７９４７号公報（第３−５頁，図４、図７）
【０００７】
【発明が解決しようとする課題】
しかしながら、このような湿式浮床工法では、浮床構造を構築する場合に、緩衝材上にコンクリートを打設する必要があるため、多大な労力と施工時間を要することになる。さらに、湿式浮床工法を採用する場合には、コンクリート打設時の周囲の壁等の汚損防止のために、養生、つまりマスキング工程等の追加が必要になる。
【０００８】
そこで本発明は、上記課題を解決するためになされたもので、周辺の養生工程等の不要な乾式工法にて、遮音性能が高く、しかも施工性の向上や省コスト化を図れる浮床構造の構築方法を提供するものである。
【０００９】
【課題を解決するための手段】
上記目的を達成するために、本発明に係る浮床構造の構築方法は、躯体床上に緩衝部材を敷設する工程と、脚部と該脚部の上方に設けられたフランジ部と該フランジ部に対し前記脚部を昇降させる昇降機構とを備えた仮支持脚ユニットを用意し、該昇降機構の操作部を露出させるようにして前記フランジ部上にパネル部材を固定する工程と、前記パネル部材が上部に固定された前記フランジ部が、前記敷設された緩衝部材上に載置されるとともに前記脚部が前記緩衝部材を貫通し前記躯体床上に直接支持されるように前記仮支持脚ユニットを設置する工程と、前記フランジ部上に固定された前記パネル部材の底面と前記フランジ部を挟んで前記パネル部材に対向する前記緩衝部材の上面との間の間隙に充填材を充填する工程と、前記間隙に充填された充填材の硬化後に、前記仮支持脚ユニットが備える前記昇降機構の前記操作部を操作し前記仮支持脚ユニットの前記脚部を前記躯体床から浮上させる工程とを有することを特徴とするものである。
【００１０】
また、本発明に係る浮床の構築方法は、貫通孔が所定の位置に形成された複数の緩衝部材を躯体床上に敷設する工程と、脚部、該脚部の上方に設けられたフランジ部、及び該フランジ部に対し前記脚部を昇降させる操作部を上端に有する昇降機構を備えた複数の仮支持脚ユニットと、充填材の注入用に貫通して形成された充填材注入孔、及びコーナー部分（後述するパネル部材の出隅部分）を貫通して形成された前記仮支持脚ユニットの挿入孔を備える複数の矩形のパネル部材とを用意する工程と、前記複数の仮支持脚ユニットの各フランジ部より上端側を前記パネル部材の前記挿入孔に各々挿入し該挿入孔の外縁部分を前記フランジ部上にそれぞれ固定する工程と、前記パネル部材における前記挿入孔の外縁部分がその上部に固定された前記フランジ部が、前記敷設された複数の緩衝部材の前記貫通孔の外縁部分に載置されるとともに、前記脚部が前記貫通孔を挿通して前記躯体床上に直接支持されるように前記複数の仮支持脚ユニットをそれぞれ設置する工程と、前記複数の仮支持脚ユニットの前記フランジ部上に搭載された前記各パネル部材の底面と前記フランジ部を挟んで前記各パネル部材に対向する前記各緩衝部材の上面との間の間隙に前記各充填材注入孔を通じて充填材を充填する工程と、前記間隙に充填された充填材の硬化後に、前記パネル部材の前記挿入孔を通じて前記仮支持脚ユニットが備える前記昇降機構の前記操作部を操作し前記各仮支持脚ユニットの前記脚部を前記躯体床から浮上させる工程とを有することを特徴とするものである。
【００１１】
さらに、本発明に係る浮床構造の構築方法は、貫通孔が所定の位置に形成された複数の緩衝部材を躯体床上に敷設する工程と、脚部と該脚部の上方に設けられたフランジ部と該フランジ部に対し前記脚部を昇降させる操作部を上端に有する昇降機構とを備えた複数の仮支持脚ユニットを用意し、前記敷設された複数の緩衝部材における前記貫通孔の外縁部分に前記フランジ部が載置されるとともに前記脚部が前記貫通孔を挿通して前記躯体床上に直接支持されるように前記複数の仮支持脚ユニットをそれぞれ設置する工程と、充填材注入孔を貫通させて形成した複数の矩形状のパネル部材を用意して、該複数のパネル部材のコーナー部分を前記仮支持脚ユニットの前記フランジ部上に搭載し該パネル部材を碁盤状に敷設する工程と、前記複数の仮支持脚ユニットの前記フランジ部上に搭載された前記各パネル部材の底面と前記フランジ部を挟んで前記各パネル部材に対向する前記各緩衝部材の上面との間の間隙に前記各充填材注入孔を通じて充填材を充填する工程と、前記間隙に充填された充填材の硬化後に、前記仮支持脚ユニットが備える前記昇降機構の前記操作部を操作し前記各仮支持脚ユニットの前記脚部を前記躯体床から浮上させる工程とを有することを特徴とするものである。
【００１２】
すなわち、本発明は、緩衝部材が敷設された躯体床上に仮支持脚ユニットを介して例えば汎用のパネル部材を配置し、その緩衝部材とパネル部材との厚さ方向の間隙に充填材を充填し硬化させた後、躯体床に直接支持されている仮支持脚ユニットの脚部を当該躯体床の上面から浮上させるものである。本発明では、躯体床から仮支持脚ユニットの脚部を離間させることにより、躯体床上の脚部を通じてのパネル部材の一時的な仮支持状態が解放される。この際、パネル部材の直接的な積載荷重が、躯体床上から緩衝部材上へ移行することになり、緩衝部材とその上方のパネル部材とが充填材を介して密着し、積層配置された躯体床、緩衝部材及びパネル部材が一体的な構造体として構築される。
【００１３】
したがって、このようにして構築された浮床構造によれば、各部材どうしの厚さ方向の密着性が高められているので、パネル部材と緩衝部材との連成による優れた遮音効果を得ることができ、重量衝撃音等の遮音性能を向上させることができる。また、本発明では、湿式工法で必要な養生工程や緩衝部材上にコンクリートを打設すること等が不要であるとともに、緩衝部材の上部に搭載するパネル部材として汎用（既存）の板材（プレート状の部材等）を適用できる。したがって、本発明によれば、このような乾式工法により、施工性の向上（省力化）や省コスト化を図りつつ遮音性能の高い浮床構造を実現できる。
【００１４】
ここで、本発明では、乾式工法により浮床の構築が実現されているため、新築の各種建物に適用する場合、構造躯体の工事が終了して仕上工事に移行した後、随時浮床の構築を行うことができる。さらに、その建築を一旦完了した既存建物の床遮音性能改善のための改修工事等にも勿論本発明を適用できる。
【００１５】
また、本発明では、上述した仮支持脚ユニットとして、例えばその外周部分に前記フランジ部を有し、ねじ孔がその軸方向に形成された筒状の雌ねじ部材と、前記ねじ孔と螺合する雄ねじ部をその周面に有し、一端部にドライバを嵌合させる嵌合溝を備え且つ他端部を前記脚部とした円柱状の雄ねじ部材とでこれを構成すること等が例示される。この場合、仮支持脚ユニットを低コストで構成できるとともに、ドライバによる簡単な操作で、そのユニットの脚部を昇降できるので、優れた施工性を得ることができる。
【００１６】
さらに、本発明においては、仮支持脚ユニットのフランジ部上にパネル部材を搭載した後で且つ充填材を充填する前に、仮支持脚ユニットが備える昇降機構の操作部を操作しパネル部材上面のレベル調整を行う。
【００１７】
また、本発明において、緩衝部材とパネル部材との厚さ方向の間隙に充填材の充填を開始した後、前記間隙に充填材が充たされて該間隙から充填材が押し出されることを検出することにより、充填材の充填の継続又はその停止を判断することが好ましい。すなわち、充填開始後、間隙から押し出される充填材を検出することで、この間隙にある空気が充填材により押し出され且つこの間隙部分に十分に充填材が充填されたことを把握することができる。これにより、充填材を介して密着する緩衝部材とパネル部材との密着性を高めることができ、遮音効果の向上を図ることができる。
【００１８】
また、本発明では、無論、複数枚の板状の緩衝部材を用意し、これを水平方向に並べて敷設してもよいし、また、このような板状の緩衝部材を積層配置してもよい。さらに、本発明において、複数枚のパネル部材を用意し、これを上記緩衝部材上に配置してもよい。この際に、勿論、複数の仮支持脚ユニットを躯体床上に配置することや、充填材の充填箇所及び充填材の間隙からのはみ出しを検出する充填度合いの検出箇所を設けることが必要になる。そこで、これらの場合、緩衝部材どうしやパネル部材どうしに所定幅の目地を積極的に設けることや、緩衝部材及びパネル部材の所定箇所に貫通孔を設けること等により、仮支持脚ユニットの設置場所を確保し、また同様に上記貫通孔や目地を利用して充填材の充填箇所や充填度合いの検出箇所を確保してもよい。
【００１９】
【発明の実施の形態】
以下、本発明の実施の形態を図面に基づき説明する。
図１は、本発明の実施形態に係る浮床構造を示す平面図、図２は、その断面図、図３は、この浮床構造を詳細に示す平面図、図４は、図３の浮床構造の断面（Ａ−Ａ断面）図である。
【００２０】
図１ないし図４に示すように、この浮床構造１は、コンクリート製の躯体床スラブ２上に敷設された複数の緩衝部材３と、緩衝部材３に形成された貫通孔５を挿通して浮床構造１の構築過程で躯体床スラブ２上に一時的に仮支持される複数の仮支持脚ユニット６と、緩衝部材３の上部に配置されたパネル部材７とから主に構成されている。
【００２１】
緩衝部材３は、振動エネルギーを吸収する性能を持つ矩形の板状部材であって、例えば、合成ゴム、再生ゴム、ポリエチレンフォーム、ポリスチレンフォーム、ポリウレタンフォーム、又はグラスウールマット等の材料により成形されている。
【００２２】
パネル部材７は、それぞれその平面方向からみて矩形、例えば正方形に成形された床下地用の同一の板状部材であり、各種セメント板、パーティクルボード、石膏ボード、又はプレキャストコンクリート板等、汎用の板材が適用されている。ここで、パネル部材７の中央部分には、充填材の注入用に貫通孔として形成された例えば直径１０〜５０ｍｍの充填材注入孔１０が設けられている。
【００２３】
仮支持脚ユニット６は、図３、図４に示すように、筒状の雌ねじ部材１２と円柱状の雄ねじ部材１４とで構成され、浮床１の構築過程で、躯体床スラブ２上に立設させて用いられるものである。雌ねじ部材１２には、その軸方向にねじ孔１５が設けられ、外周部分にフランジ部１６が形成されている。雄ねじ部材１４には、ねじ孔１５と螺合する雄ねじ１７がその周面に設けられており、その一端部（上端）にドライバを嵌合させるドライバ嵌合溝１８が形成されている。また、雄ねじ部材１４には、その他端部（下端部）を径方向に膨出させて形成した座としての脚部１９が設けられている。脚部１９は、浮床１の構築過程で一時的に躯体床スラブ２上に直接支持される部位である。なお、雄ねじ部材１４の先端に例えばゴム製の円筒状の別部品を取り付け脚部１９としてもよいし、また、加工成形により雄ねじ部材１４に脚部を一体的に形成してもよい。
【００２４】
立設状態で用いられるこのような仮支持脚ユニット６では、ドライバ嵌合溝１８をドライバにより所定方向に回し、雌ねじ部材１２に対して雄ねじ部材１４を締め込む方向又は緩める方向に回転させることにより、これに応じて、フランジ部１６に対し脚部１９が昇降移動することになる。すなわち、仮支持脚ユニット６が備えるねじ孔１５、雄ねじ部１７、及び操作部としてのドライバ嵌合溝１８は、フランジ部１６に対し脚部１９を昇降させる昇降機構として機能する。
【００２５】
また、これら複数の仮支持脚ユニット６は、躯体床スラブ２上に敷設された複数の緩衝部材３の各貫通孔５に脚部１９及びその周辺部位が挿入され且つ各貫通孔５の外縁部分（周辺部分）に各フランジ部１６が載置されている。ここで、仮支持脚ユニット６のフランジ部１６は、緩衝部材３上（緩衝部材３における貫通孔５の外縁部分の上）に直接載置されなくとも、緩衝部材３の上面から僅かに隙間を空けこの緩衝部材３の上方位置に配置されてもよい。上記パネル部材７の各コーナー部分（パネル部材７における出隅部分）には、仮支持脚挿入孔１１が貫通孔として形成されている。各仮支持脚ユニット６は、その雌ねじ部材１２におけるフランジ部１６より上端側の部位が、パネル部材７の仮支持脚挿入孔１１に各々挿入されたかたちで、パネル部材７のコーナー部分の底面側にそれぞれ接合されている。
【００２６】
ここで、仮支持脚ユニット６の雌ねじ部材１２と仮支持脚挿入孔１１との径方向のクリアランス部分には、後述する充填材２１が、仮支持脚ユニット６のねじ部分等に入り込まないようにするために、グリース等の絶縁体が注入され、この隙間部分が封止されている。また、この隙間部分に、スリーブ等を嵌め込んで封止を行うようにしてもよい。
【００２７】
上述した複数のパネル部材７は、フランジ部１６を挟んで下方の各緩衝部材３と各々対向するように配置されている。また、上記パネル部材７は、その各コーナー部分にそれぞれ設けられた上記仮支持脚挿入孔１１の外縁部分が、４つの仮支持脚ユニット６における上記筒状の雌ねじ部材１２のフランジ部１６上に搭載されている。このようなパネル部材７は、隣接する当該パネル部材どうしの間に例えば１０ｍｍ程度の一定間隔の目地２０が形成され全体として碁盤状に敷設されている（図１参照）。
【００２８】
上記パネル部材７のコーナー部に形成された仮支持脚挿入孔１１は、貫通孔であることから、仮支持脚ユニット６の上端のドライバ嵌合溝１８が、パネル部材８の上面側に露出することになる。これにより、仮支持脚挿入孔１１を通じて、仮支持脚ユニット６のドライバ嵌合溝１８を操作することが可能なので、フランジ部１６（又は躯体床スラブ２の上面）に対し、脚部１９を昇降移動させることができる。
【００２９】
また、フランジ部１６を挟んで対向する各緩衝部材３の上面とパネル部材７の下面との間の間隙には、パネル部材７の充填材注入孔１０を通じて注入された充填材２１が充填されている。この充填材２１としては、セルフレベリング性を有するスラリー状の高流動性材料が選択されている。ここで、後に詳述するように、充填材２１の注入工程において、緩衝部材３とパネル部材７との厚さ方向の間隙に充填材２１の充填を開始した後、例えば点検位置２３等で、間隙からはみ出しさらに目地２０を通じて上昇してくる充填材を検出することにより、充填材２１の充填の継続又はその停止を判断することが可能となる。
【００３０】
次に、このように構成された浮床構造の構築方法を、上記図１ないし図４に加え、図５ないし図１０に基づき説明する。なお、この浮床構造の構築方法は、新築の建築物の床構造に適用できることは勿論、築数年後の建物の遮音性能の改善のための床構造の改修工事等にも適用できる。
【００３１】
まず、図５に示すように、躯体床スラブ２の上面に複数枚の緩衝部材３を水平方向に並べて敷設する。ここで、躯体床スラブ２の上面の高低差（凹凸）が著しく大きいときは、例えば薄塗りモルタル等で躯体床スラブ２の上面のレベルを予め修正しておくことが望ましい。
【００３２】
次に、複数のパネル部材７を用意するとともに、１つのパネル部材７に対してそれぞれ４つの仮支持脚ユニット６を用意する。さらに、用意したこの仮支持脚ユニット６において、図６に示すように、雌ねじ部材１２におけるフランジ部１６より上端側の部位を、パネル部材７の仮支持脚挿入孔１１に各々挿入し、この仮支持脚挿入孔１１の外縁部分をフランジ部１６上にそれぞれ固定する。すなわち、各仮支持脚ユニット６は、パネル部材７のコーナー部分（四隅）の底面側にそれぞれ接合される。ここで、仮支持脚ユニット６とパネル部材７との接合は、フランジ部１６上面とパネル部材７の底面における仮支持脚挿入孔１１の外縁部分とを接着することにより行ってもよいし、また、仮支持脚挿入孔１１の内壁面と雌ねじ部材１２の外周部分とを接着することにより行ってもよい。
【００３３】
これにより、図７に示すように、立面図としてみた場合に、いわゆる机形状となる仮支持脚ユニット６とパネル部材７との接合体が形成される。次いで、フランジ部１６が各緩衝部材３の貫通孔５の外縁部分に載置され、且つ脚部１９が貫通孔５を挿通して躯体床スラブ２上に直接支持されるように、パネル部材７の各コーナー部分の底部に接合された仮支持脚ユニット６を設置する。この設置前に、フランジ部１６の下面から雄ねじ部材１４の脚部１９の先端面（底面）までの距離を予めある程度調整しておき、施工性の向上を図ってもよい。
【００３４】
この後、図８に示す状態において、仮支持脚挿入孔１１から仮支持脚ユニット６のドライバ嵌合溝１８をドライバで操作することにより、フランジ部１６に対し脚部１９を昇降移動させ、パネル部材７の上面を同一レベルに揃える調整を行う。
【００３５】
次いで、図８及び図９に示すように、フランジ部１６上に搭載されたパネル部材７の底面とフランジ部１６を挟んで対向する緩衝部材３の上面との間の厚み方向の間隙Ｋに、所定の充填圧を加えつつ充填材２１を充填する。充填を行う場合、必要に応じて圧入ポンプやロート等を用いてもよい。ここで、緩衝部材３とパネル部材７との厚さ方向の間隙Ｋに充填材２１の充填を開始した後、例えば点検位置（例えば平面方向に隣接する２枚のパネル部材どうしの目地２０の中央位置）２３等で、間隙Ｋからはみ出しさらに目地２０を通じて上昇してくる充填材を検出することにより、充填材２１の充填の継続又はその停止を判断する。
【００３６】
すなわち、充填開始後、間隙Ｋに充填材が充たされて当該間隙Ｋから押し出され目地２０を通じて上昇してくる充填材を検出することで、この間隙Ｋにある空気が充填材により押し出され当該間隙部分に十分に充填材２１が充填されたことを把握することができる。これにより、充填材２１を介して密着する緩衝部材３とパネル部材７との密着性を高めることができ、遮音効果の向上を図ることができる。
【００３７】
ここで、上昇してくる充填材の点検位置は、特定の位置にのみ限定されるものではなく、パネル部材７のサイズや充填材２１の流動特性等に応じて、適宜設定されることが望ましく、さらに、その点検位置を多数箇所に分散して設け、点検精度の向上を図ってもよい。また、このような充填材２１を充填する工程において、緩衝部材３とパネル部材７との間隙Ｋを平面方向からみて複数のエリアに区画できるように、目地２０等を通じて仕切板等を設置し、区画されたエリア毎に充填材の充填を行うようにしてもよい。これにより、間隙Ｋへの充填材の充填をより確実に行うことができる。
【００３８】
なお、充填材２１が、仮支持脚ユニット６のねじ部分等に入り込まないようにするために、上述したようにフランジ部１６より上方の周面近傍とパネル部材７の水平方向の隙間部分にスリーブ等を嵌め込んだり、またグリース等の絶縁体を注入し、この隙間部分を封止するようにしてもよい。
【００３９】
次に、充填された充填材２１の硬化後に、図１０に示すように、パネル部材７上面の仮支持脚挿入孔１１から仮支持脚ユニット６のドライバ嵌合溝１８をドライバで操作し、雄ねじ部材１２の締め込みを緩める方向、つまり矢印Ｓ方向に回させることにより、フランジ部１６に対し脚部１９を上昇、つまり、隙間ｄが形成されるように躯体床スラブ２上から矢印Ｙ１方向に脚部１９を浮上させる。
【００４０】
このように、躯体床スラブ２から仮支持脚ユニット６の脚部１９を離間させることにより、躯体床スラブ２上の脚部１９を通じてのパネル部材７の一時的な仮支持状態が解放される。この際、パネル部材７の矢印Ｙ２方向に働く直接的な積載荷重が、躯体床スラブ２上から緩衝部材３上へ移行することなる。これにより、緩衝部材３とその上方のパネル部材とが充填材２１を介して密着し、積層配置された躯体床スラブ２、緩衝部材３、及びパネル部材７が一体的な構造体として構築される。
【００４１】
このように本実施形態の浮床構造１の構築方法は、各部材どうしの厚さ方向の密着性が高められているので、緩衝部材３とパネル部材７とが連成して浮床構造が構築され、良好な遮音効果を得ることができる。これにより、重量衝撃音等の遮音性能を向上させることができる。また、本実施形態では、湿式工法で必要な養生工程や緩衝部材３上にコンクリートを打設すること等が不要であるとともに、緩衝部材３の上部に搭載するパネル部材として汎用の板材を適用できる。したがって、本実施形態によれば、このような乾式工法により、遮音性能の高い浮床構造を施工性の向上や省コスト化を図りつつ構築できる。
【００４２】
以上、本発明を実施の形態により具体的に説明したが、本発明は前記実施形態にのみ限定されるものではなく、その要旨を逸脱しない範囲で種々変更可能である。例えば、上記実施形態の浮床構造１に代えて、図１１の平面図及び図１２の側面の断面図に示す浮床構造３１を構築することもできる。すなわち、この浮床構造３１では、敷設された複数のパネル部材８の各コーナー部分（四隅）には、仮支持脚挿入孔１１等の孔部が形成されておらず、パネル部材８の各コーナー部分の端縁が、仮支持脚ユニット６のフランジ部１６上に搭載されている。つまり、複数のパネル部材８の各コーナー部分は、異なる仮支持脚ユニット６のフランジ部１６上に搭載されている。これにより、パネル部材８どうしの間には例えば１０ｍｍ程度の一定間隔の目地２０が形成されており、全体としてこれらパネル部材８は、碁盤状に敷設されている。
【００４３】
このような浮床構造３１では、仮支持脚ユニット６の上端のドライバ嵌合溝１８は、目地２０を通じてパネル部材８の上面側に露出することになる。この目地２０を通じて、仮支持脚ユニット６のドライバ嵌合溝１８を操作することより、上記実施形態と同様に、フランジ部１６（又は躯体床スラブ２の上面）に対し、脚部１９を昇降移動させることができる。このような構造の浮床構造３１においても、上記実施形態と同様に高い遮音効果を得ることができる。
【００４４】
また、図１３の平面図及び図１４の側面の断面図に示すように、任意の４枚のパネル部材８のコーナー部分が、その上部に搭載すべきパネル部材９のほぼ中央部分にくるようにして、パネル部材８、９をそれぞれ敷設し、構造体としての剛性の均一化を図った浮床構造３２を構築することもできる。この浮床構造３２では、下段に配置されるパネル部材７の充填材注入孔１０の直上が、上段に配置される４枚のパネル部材９のコーナー部分の目地と一致するように、各パネル部材が敷設されている。
【００４５】
ここで、このようなコーナー部分の目地を例えば充填材の注入口にすること等が例示される。一方、パネル部材９の中央部分の貫通孔１３は、仮支持脚ユニット６の上端のドライバ嵌合溝１８の操作孔として機能する。また、このような浮床構造３２において省コスト化を図るために、パネル部材９の中央の貫通孔を削除してもよい。この場合、上記充填材の注入工程や、仮支持脚ユニット６の脚部１９を躯体床スラブ２から浮上させる工程を、パネル部材９の搭載前に行うことで実現される。
【００４６】
【発明の効果】
以上説明したように、本発明によれば、周辺の養生工程等の不要な乾式工法にて、遮音性能が高く、しかも施工性の向上や省コスト化を図れる浮床構造の構築方法を提供することができる。
【図面の簡単な説明】
【図１】本発明の実施形態に係る浮床構造を示す平面図である。
【図２】図１の浮床構造を示す断面図である。
【図３】図１の浮床構造を詳細に示す平面図である。
【図４】図３の浮床構造を詳細に示す断面（Ａ−Ａ断面）図である。
【図５】図３の浮床を構築するための第１段階の工程として躯体床スラブ上に緩衝部材が敷設された状態を示す断面図である。
【図６】パネル部材に仮支持脚ユニットを取り付ける直前の状態を示す断面図である。
【図７】図６の緩衝部材の貫通孔を挿通させて躯体床スラブ上に仮支持脚ユニットが設置された状態を示す断面図である。
【図８】図７の緩衝部材の上方に仮支持脚ユニットを介してパネル部材が配置された状態を示す断面図である。
【図９】図８の緩衝部材とパネル部材と間の間隙に充填材が充填された状態を詳細に示す断面図である。
【図１０】図９の仮支持脚ユニットの脚部を躯体床スラブ上から浮上させた状態を示す断面図である。
【図１１】図１、図２等に示した浮床構造と異なる本発明の他の浮床構造を示す平面図である。
【図１２】図１１の浮床構造を示す断面図である。
【図１３】図１１、図１２の浮床構造とも構成の異なる本発明の他の浮床構造を示す平面図である。
【図１４】図１３の浮床構造を示す断面図である。
【符号の説明】
１，３１，３２…浮床構造、２…躯体床スラブ、３…緩衝部材、５…緩衝部材の貫通孔、６…仮支持脚ユニット、７，８，９…パネル部材、１０…充填材注入孔、１１…仮支持脚挿入孔、１２…雌ねじ部材、１４…雄ねじ部材、１５…ねじ孔、１６…フランジ部、１７…雄ねじ、１８…ドライバ嵌合溝、１９…脚部、２０…目地、２１…充填材、２３…点検位置、Ｋ…間隙。
【図１】
2004293068.tif 000003
【図２】
2004293068.tif 000004
【図３】
2004293068.tif 000005
【図４】
2004293068.tif 000006
【図５】
2004293068.tif 000007
【図６】
2004293068.tif 000008
【図７】
2004293068.tif 000009
【図８】
2004293068.tif 000010
【図９】
2004293068.tif 000011
【図１０】
2004293068.tif 000012
【図１１】
2004293068.tif 000013
【図１２】
2004293068.tif 000014
【図１３】
2004293068.tif 000015
【図１４】
2004293068.tif 000016